(57)【特許請求の範囲】
【請求項１】
画像を表示するディスプレーユニットと、
光を発生するための光源部と、前記光源部の一側に形成され、前記光源部から発生された光を前記ディスプレーユニット方向に均一に入射させる導光板と、前記導光板の上に具備され、前記導光板から入射された光を前記ディスプレーユニットの平面に対して所定方向に集光させる集光手段とを含むバックライトアセンブリと、
前記ディスプレーユニットと前記バックライトアセンブリとを収納するモールドフレームとを含む液晶表示装置であって、
前記モールドフレームは、下部面と前記下部面の側端部からそれぞれ垂直に形成される第１側壁と第２側壁と第３側壁と、前記第１側壁および第２側壁のそれぞれの端部と接する支持部材とから構成され、前記第１側壁、前記第２側壁および前記第３側壁の各上部面には前記ディスプレーユニットと導光板と前記集光手段とを支持する第１支持面を含む第１フレームと、前記支持部材と前記第１側壁の端部と前記第２側壁の端部とから形成される空間に配置されて前記光源部を収容し、前記第１支持面と高さが同じであり、前記ディスプレーユニットと前記導光板と前記集光手段を支持する複数の第２支持面を含む第２フレームとから構成され、
前記第１フレームと前記第２フレームとは分離可能であるモールドフレームを含むことを特徴とする液晶表示装置。
【請求項２】
前記光源部は、光を発生するランプ、前記ランプの両端に挿入されて前記ランプを支持するランプ支持部材、及び前記ランプと電気的に連結する連結部材で構成されることを特徴とする請求項１に記載の液晶表示装置。
【請求項３】
前記導光板の下方に具備され、前記導光板から入射される光を前記ディスプレーユニットの方向に反射させる反射板をさらに含むことを特徴とする請求項１に記載の液晶表示装置。
【請求項４】
前記支持部材は上部面に前記第２フレームを固定するための第１固定部をさらに含み、前記第２フレームは前記第１固定部と分離可能であるように結合される第２固定部をさらに含むことを特徴とする請求項１乃至請求項３のいずれの１つに記載の液晶表示装置。
【請求項５】
前記第２フレームは、前記第１フレームの長さ方向の側壁と対向する内側面に前記第２フレームの長さ方向に形成される第１グルーブと、前記内側面と反対の位置にある外側面に前記第２フレームの長さ方向に形成される第２グルーブとを有することを特徴とする請求項４に記載の液晶表示装置。
【請求項６】
前記第１グルーブは光を発生する光源を収納し、長さ方向の両終端は前記光源を支持する光源支持部を収納し、前記第２グルーブは前記光源と電気的に連結される連結部材を収納することを特徴とする請求項５に記載の液晶表示装置。
【請求項７】
前記第１グルーブは、前記光源支持部が位置し、基底面、覆い面及び一つの側面を具備する第１領域と、前記光源が位置し、覆い面及び一つの側面を具備する第２領域とを含むことを特徴とする請求項６に記載の液晶表示装置。
【請求項８】
前記導光板の下方に具備される反射板が前記光源の下まで延長されて形成されることを特徴とする請求項７に記載の液晶表示装置。
【請求項９】
互いに分離可能な第１フレームと第２フレームとから構成され、
前記第１フレームは、
下部面と、
前記下部面の側端部からそれぞれ垂直に形成される第１側壁、第２側壁および第３側壁と、
前記第１側壁、第２側壁および第３側壁が形成されない前記下部面の側端部に形成される前記第２フレームを支持するための支持部材と、
前記第１側壁、前記第２側壁および前記第３側壁の各上部面に複数形成され、ディスプレーユニット及び導光板と集光手段とを支持する第１支持面とを含み、
前記第２フレームは、
前記ディスプレーユニットに光を供給する光源部を収容し、前記第１支持面と高さが同じであり、前記ディスプレーユニット及び導光板と前記集光手段を支持する複数の第２支持面とを含み、前記第１側壁、前記第２側壁および前記第３側壁のいずれも形成されていない前記下部面の側端部に分離可能であるように結合される第２フレームとからなる
ことを特徴とする液晶表示装置用収納モジュール。
【請求項１０】
前記第１フレームは、前記第１側壁、前記第２側壁および前記第３側壁のそれぞれの上部面に、前記下部面方向に向かう階段形状の断面を有することを特徴とする請求項９に記載の液晶表示装置用収納モジュール。
【請求項１１】
前記支持部材は、その両端部から垂直方向に折曲されて、前記支持部材が形成される前記下部面の側端部に延びる前記第１側壁及び前記第２側壁の各端部の方向に延長されることを特徴とする請求項９に記載の液晶表示装置用収納モジュール。
【請求項１２】
前記支持部材の上部面に前記第２フレームを固定するための第１固定部が形成されることを特徴とする請求項１１に記載の液晶表示装置用収納モジュール。
【請求項１３】
前記第１固定部は前記支持部材と一体に形成されることを特徴とする請求項１２に記載の液晶表示装置用収納モジュール。
【請求項１４】
前記第１固定部は前記支持部材の上部面から突出した固定突起と前記固定突起を貫通する結合ホールとを有することを特徴とする請求項１３に記載の液晶表示装置用収納モジュール。
【請求項１５】
前記第２フレームの上部面は、前記第２フレームの基底部方向に向かう階段形状の断面を有することを特徴とする請求項９または請求項１０に記載の液晶表示装置用収納モジュール。
【請求項１６】
前記第２フレームは、一側面に前記第２フレームの長さ方向に形成される第１グルーブと、前記第１グルーブが形成された一側面と反対の位置にある側面に前記第２フレームの長さ方向に形成される第２グルーブとを有することを特徴とする請求項９に記載の液晶表示装置用収納モジュール。
【請求項１７】
前記第１グルーブは、覆い面と基底面と一つの側面により形成され、前記一つの側面と対向する他の側面が開放された直四角形の形状を有することを特徴とする請求項１６に記載の液晶表示装置用収納モジュール。
【請求項１８】
前記基底面は、長さ方向の両端部を除外した中央部が削除された形状を有することを特徴とする請求項１７に記載の液晶表示装置用収納モジュール。
【請求項１９】
前記第１グルーブを形成する覆い面、基底面及び側面は、前記光源から発散される光を反射するリフレクタが付着されることを特徴とする請求項１８に記載の液晶表示装置用収納モジュール。
【請求項２０】
前記リフレクタはポリエチレンテレフタレートから成る反射シートであることを特徴とする請求項１９に記載の液晶表示装置用収納モジュール。
【請求項２１】
前記第２フレームは前記第１フレームと結合するための第２固定部をさらに含むことを特徴とする請求項２０に記載の液晶表示装置用収納モジュール。
【請求項２２】
前記第２固定部は前記第２フレームと一体に形成されることを特徴とする請求項２１に記載の液晶表示装置用収納モジュール。
【請求項２３】
前記第２固定部は前記第２グルーブの下方側面に位置することを特徴とする請求項２２に記載の液晶表示装置用収納モジュール。
【発明の詳細な説明】
【０００１】
【発明の属する技術分野】
本発明は液晶表示装置用収納モジュール及びこれを利用した液晶表示装置に関するものであり、より詳細には、光源部が収納されるモールドフレームを分離し、分離されたモールドフレームにランプリフレクタ機能を付加することで、部品数を減少させ、ランプの組立と修理を容易であるようにした収納モジュール及びこれを採用した液晶表示装置に関するものである。
【０００２】
【従来の技術】
一般的に使用されている表示装置の一つである陰極線管（ＣＲＴ：Ｃａｔｈｏｄｅ  Ｒａｙ  Ｔｕｂｅ）はテレビを始め、計測機器、情報端末機などのモニターに主に利用されているが、陰極線管自体の重みと大きさとによって電子製品の小型化、軽量化の要求に積極的に対応することができない。
【０００３】
このような、陰極線管に代替するために、小型、軽量及び低消費電力などの長所を有し、液晶パネルの内部に注入された液晶の電気、光学的性質を利用して情報を表示する液晶表示装置が活発に開発されてきており、最近では平板表示装置としての役割を果たしている。
【０００４】
このような液晶表示装置は、陰極線管とは異なり、ＴＦＴ基板とカラーフィルタ基板との間に注入された液晶が光を発生させることができる発光物質ではなく、外部から入る光の量を調節して画面に表示する受光性物質であるので、液晶パネルに光を照射するための別途の光源、即ちバックライトアセンブリを必要とする。
【０００５】
図１は上述したバックライトアセンブリを装着した従来の液晶表示装置を概略的に示した断面図である。
【０００６】
図１を参照すれば、液晶表示装置はディスプレーユニット１０、バックライトアセンブリ２０及びシャーシ４０により構成される。
【０００７】
前記ディスプレーユニット１０は、ＴＦＴ基板（図示せず）、カラーフィルタ基板（図示せず）及び前記両基板の間に含まれた液晶（図示せず）により構成される。前記ＴＦＴ基板のソース部及びゲート部を経て前記ＴＦＴ基板のトランジスタに画像信号が印加され、これにより前記液晶に電気的な信号が印加される。そして、バックライトアセンブリ２０からの光量が調整され、画面が構成されることになる。
【０００８】
前記ディスプレーユニット１０の下にはディスプレーユニット１０に均一な光を提供するためのバックライトアセンブリ２０が具備されている。
【０００９】
前記バックライトアセンブリ２０は、光を案内する導光板２１、前記導光板２１の側面に設置されて光を発生する光源部２５、前記導光板２１の下部面に設置されて前記光源部２５からの光を反射する反射板２６、及び前記導光板２１の上部面に設置されて導光板２１により伝達された光を拡散して集光する光学シート２７を具備する。
【００１０】
前記光源部２５は、光を供給するランプ２２、前記ランプ２２の両端に挿入されてランプ２２を保護するランプホルダ２３、前記ランプ２２の外周面を覆い、前記ランプ２２から発散された光を前記導光板２１側に反射させて光の効率を向上させるランプカバー２４、及び前記ランプ２２を電気的に連結するワイヤ（図示せず）を含む。前記ランプカバー２４は黄銅を含んだメタル材質であり、内側に銀（Ａｇ）がコーティングされていて、リフレクタの機能を有している。
【００１１】
前記ディスプレーユニット１０及びバックライトアセンブリ２０は、収納モジュールすなわちモールドフレーム３０によって固定支持される。
【００１２】
前記モールドフレーム３０は直六面体のボックス形状を有して上部面は開口している。モールドフレーム３０の内部は所定深さの収納空間を形成し、前記収納空間の上側部には上部面から下部面方向に向かう階段部が連続的に形成されている。従って、前記収納空間に位置する導光板２１及び光源部２５は前記モールドフレーム３０の側部で支持され、前記光学シート２７及びディスプレーユニット１０は前記モールドフレーム３０の上側部に形成された階段部に順次に収納される。
【００１３】
しかし、前記のような構成を有する液晶表示装置において、前記モールドフレーム３０及びランプカバー２４は互いに対して接するように構成されているにも拘らず、収納容器とリフレクタという機能上の差異によって別途製作されるので、部品数が増加する問題点がある。
【００１４】
かつ、前記モールドフレーム３０の一側面から光源部２５をスライディング挿入して組立する過程は作業者に不便であり、ランプ交換のための光源部２５の離脱/挿入時に他の部品との接触によって前記光源部２５が破損する憂慮がある。
【００１５】
【発明が解決しようとする課題】
従って、本発明の第１目的は、モールドフレームが複数個に分離され、分離されたモールドフレームがランプリフレクタ機能を有する液晶表示装置を提供するものである。
【００１６】
本発明の第２目的は、複数個に分離され、分離された一部がランプリフレクタ機能を有するような分割構造を有する収納モジュールを提供するものである。
【００１７】
【課題を解決するための手段】
前述した本発明の第１目的を達成するための本発明は、画像を表示するディスプレーユニット、光を発生させる光源部と光を入射させる導光板と入射された光を集光させる集光手段とを含むバックライトアセンブリ、及びディスプレーユニットとバックライトアセンブリとを収容し、第１フレームと第２フレームとに分割及び組立可能であるモールドフレームを含む液晶表示装置を提供するものである。このとき、前記第１フレームは導光板及び集光手段を収納し、第２フレームは光源部を収納する。前記第２フレームの内部表面には反射シートが一体に形成されてランプリフレクタ機能を有する。
【００１８】
かつ、前述した本発明の第２目的を達成するための本発明は、下部面と、前記下部面のいずれか一つの側端部を除外した側端部から垂直に形成される側壁と、前記側壁が位置しない前記下部面の側端部に第２フレームを支持するための支持部材とを含み、画像を表示するディスプレーユニットを収容する第１フレーム、及び前記ディスプレーユニットに光を供給する光源部を収容し、前記光源部を収容するグルーブの内部表面にランプリフレクタが形成され、前記支持部材に分離可能であるように結合される第２フレームにより構成される収納モジュールを提供するものである。
【００１９】
従って、本発明によると、ランプの後面に発散された光を導光板に反射させる役割をする別途のランプカバーが不必要であるので、液晶表示装置の部品数が減少され、これによって工程効率が増加して製造単価が減少する。かつ、第２フレームのみ分離してランプの交換が可能であるので、ランプ交換の容易性を高めて、これによる不良発生率を減らすことができる。
【００２０】
【発明の実施の形態】
以下、図面を参照して本発明の望ましい一実施形態について詳細に説明する。以下で特別な言及がない限り、組立てられた液晶表示装置におけるランプの長さ方向を横方向として、これに垂直な方向を縦方向とする。かつ、液晶表示装置の液晶表示パネルが位置する部分を上部、これに対向する基底部分を下部とする。
【００２１】
図２は本発明の一実施形態に係る分割構造を有する収納モジュールすなわちモールドフレームを含む液晶表示装置の分解斜視図である。
【００２２】
図２を参照すれば、液晶表示装置１００は画像信号が印加されて画面を示すための液晶表示モジュール７００と液晶表示モジュール７００を収納するためのケース部２００とにより構成されている。
【００２３】
前記液晶表示モジュール７００は、画像を表示するディスプレーユニット４００、光供給のためのバックライトアセンブリ５００、及び前記ディスプレーユニット４００とバックライトアセンブリ５００を固定支持するためのモールドフレーム６００により構成される。前記ケース部２００はフロントケース２１０及びリアケース２２０により構成される。
【００２４】
前記ディスプレーユニット４００は、画像を表示する液晶表示パネル４１０、データラインに駆動信号を印加するソース側印刷回路基板４２０、データ駆動信号の印加時期を決定するソース側テープキャリアパッケージ４３０、ゲートラインに駆動信号を印加するゲート側印刷回路基板４４０及びゲート駆動信号印加時期を決定するゲート側テープキャリアパッケージ４５０を含む。前記液晶表示パネル４１０は、下部に位置するＴＦＴ基板、上部に位置するカラーフィルタ基板、及び両基板の間に位置する液晶により構成される。
【００２５】
液晶は、前記ＴＦＴ基板のソース部及びゲート部を経てＴＦＴ基板のトランジスタに印加された画像信号によって電気的な信号の入力を受ける。ここで、バックライトアセンブリ５００からの光量を調整することにより、画面が構成される。
【００２６】
前記ディスプレーユニット４００の下には、ディスプレーユニット４００に均一な光を提供するためのバックライトアセンブリ５００が具備されている。
【００２７】
前記バックライトアセンブリ５００は、光源部５１０、導光板５２０、反射板５３０及び集光手段５４０により構成される。
【００２８】
前記光源部５１０は液晶表示モジュール７００の一側に具備されており、光を発生させるための線形ランプ５１２、前記ランプ５１２の両端に挿入されてランプ５１２を保護するランプホルダ５１４及び前記ランプ５１２を電気的に連結するワイヤ５１６を含む。
【００２９】
前記導光板５２０は前記ディスプレーユニット４００の液晶表示パネル４１０に対応する大きさを有し、液晶表示パネル４１０の下に位置している。また、導光板５２０の光源部５１０側は厚くて光源部５１０から遠ざかるほど薄くなるように形成されて、光源部５１０から発生した光の経路を変更して前記ディスプレーユニット４００側に案内する。このように構成することにより、光はディスプレーユニット４００に均一に入射される。
【００３０】
前記導光板５２０の下には、導光板５２０から漏洩する光を導光板５２０に反射させて光の効率を高めるための反射板５３０が具備されている。かつ、前記導光板５２０の上には、導光板５２０から入射される光をディスプレーユニット４００に対して所定方向に集光し液晶表示パネル４１０に向かう光の輝度を均一にするための複数個の光学シート類からなる集光手段５４０が具備されている。
【００３１】
前記ディスプレーユニット４００及びバックライトアセンブリ５００はモールドフレーム６００によって固定支持される。前記モールドフレーム６００は直六面体のボックス状を有して上面は開口されており、光源部５１０が位置する側壁の一部が分解及び組立可能である分割構造を有する。すなわち、前記モールドフレーム６００は、前記ディスプレーユニット４００と光源部５１０を除外したバックライトアセンブリ５００を収納する第１フレーム６１０と、前記第１フレームの側面に分離可能であるように結合され、前記光源部５１０を収容する第２フレーム６６０とにより構成される。一方、前記第２フレーム６６０の内側壁にはランプリフレクタが一体に形成されているので、従来の液晶表示装置に比べて部品数を減らして工程効率を高めることができる。
【００３２】
前記ディスプレーユニット４００の印刷回路基板４２０、４４０とテープキャリアパッケージ４３０，４５０とを前記モールドフレーム６００に固定するために、シャーシ３００が提供される。
【００３３】
前記シャーシ３００は前記モールドフレーム６００のように直六面体の形状を有し、上面部は液晶表示パネル４１０を露出させるために開口しており、側壁部は内側垂直方向に折曲して前記液晶表示パネル４１０の上面周辺部をカバーする。
【００３４】
液晶表示装置は次のように組立てられて完成される。後述する手法により組立てられたモールドフレーム６００に先ずバックライトアセンブリ５００を固定した後、バックライトアセンブリ５００上にディスプレーユニット４００を配置する。次に、テープキャリアパッケージ４３０，４５０に接続されている印刷回路基板４２０、４４０をモールドフレーム６００の側壁外側面に沿って折曲させてモールドフレーム６００の基底面に形成された開口部に配置し、またはモールドフレーム６００の側部上面に位置させる。続いて、シャーシ３００を前記モールドフレーム６００と結合させて、ディスプレーユニット４００とバックライトアセンブリ５００とをモールドフレーム６００に固定する。
【００３５】
このようにして液晶表示モジュールを製作した後、液晶表示パネル４１０を露出させる開口部を有する前面ケース２１０と背面ケース２２０との間に前記液晶表示モジュールを配置することにより、液晶表示装置が完成される。
【００３６】
図３は、本発明の一実施形態に係る、分割構造を有するモールドフレームを分解した斜視図である。
【００３７】
図３を参照すれば、前記モールドフレーム６００は、前記ディスプレーユニット４００、導光板５２０、反射板５３０及び集光手段５４０を収容する第１フレーム６１０と、前記光源部５１０を収容する第２フレーム６６０とにより構成される。
【００３８】
前記第１フレーム６１０は、下部面と下部面の一側端部を除外した三つの側端部から垂直方向に突出した第１側壁６２０、第２側壁６３０及び第３側壁６４０とを含み、前記側壁が位置しない下部面の側端部に第２フレーム６６０を収容するための支持部材６５０を具備する。前記第２フレーム６６０は、前記支持部材６５０の一側に収容され、前記側壁６２０、６３０，６４０の上部面と対応する上部面を具備する。この時、前記第２フレーム６６０は、前記支持部材６５０の長さに対応する長さ、前記支持部材６５０の折曲部延長長さに対応する幅及び前記第１フレーム６１０の側壁６２０、６３０，６４０に対応する高さを有する。従って、一側面が開放された直六面体形状を有する第１フレーム６１０の前記側壁６２０、６３０，６４０と前記支持部材６５０と前記第１及び第２側壁６２０、６３０の端部によって形成される空間に位置した前記第２フレーム６６０とによって取り囲まれる領域は、ディスプレーユニット４００とバックライトアセンブリ５００とを収容する収納空間を形成することになる。
【００３９】
前記支持部材６５０は、第３側壁６４０と対向するように横方向に位置し、両端部から垂直方向に折曲されて前記第１及び第２側壁６２０、６３０の方向に所定の長さ延長されて形成される。従って、第２フレーム６６０に収納された光源部５１０のランプ５１２に電気を供給するワイヤ５１６を外部に引き出すことができる。
【００４０】
かつ、前記支持部材６５０は第２フレーム６６０を支持し、固定するための第１固定部を具備し、前記第２フレーム６６０の下方外側面には前記第１固定部と分離可能であるように結合される第２固定部が形成されている。好ましくは、第１固定部は支持部材６５０と一体に形成される。一実施形態として、前記第１固定部は複数個の結合フック６５５で形成することができ、前記結合フック６５５は前記支持部材６５０の上部面から突出された固定突起６５１と内部を貫通する結合ホール６５２とで構成される。前記第２固定部は一実施形態として、前記第２フレーム６６０と一体で形成される結合突起６９０で形成することができる。従って、前記結合突起６９０を前記結合ホール６５２に挿入することにより第２フレーム６６０を前記支持部材６５０に固定することができ、結合ホール６５２から結合突起６９０を除去することにより前記支持部材６５０と第２フレーム６６０とを分離することができる。従って、前記第２フレーム６６０は前記支持部材６５０によって分解可能であるように組立てられる。
【００４１】
前記第１、第２及び第３側壁６２０、６３０、６４０の上部面には、前記集光手段５４０とディスプレーユニット４００とを支持するための支持面が多数形成されている。前記多数の支持面は、第１フレーム６１０の下部面方向に端をおいて各々位置し、これにより各側壁６２０、６３０及び６４０の上部面は、下部面の方向に向かう階段形状の断面を有するように構成される。これと同様に、前記第２フレーム６６０の上部面にも前記集光手段５４０とディスプレーユニット４００とを支持するための支持面が多数形成され、前記多数の支持面は第２フレーム６６０の基底部方向に端をおいて各々位置し、これにより第２フレームの上部面は、第２フレームの基底部方向に向かう階段形状の断面を有するように構成される。一方、前記第１フレーム６１０の第３側壁６４０と対向し、前記収納空間に向かう第２フレーム６６０の内側面には光源部５１０のランプ５１２を収容するための第１グルーブ６７０が横方向に形成され、前記第２フレーム６６０の外側面にはランプワイヤ５１６を収容するための第２グルーブ６８０が横方向に形成される。前記第２グルーブ６８０の下には前記結合フック６５５と結合する結合突起６９０が前記第２フレーム６６０と一体に形成される。
【００４２】
以下、前記第２フレーム６６０の多様な実施形態をより詳細に説明する。
【００４３】
図４は本発明による第２フレームの第１実施形態を示す斜視図である。
図５は図４をＡ1〜Ａ2方向に切断した断面図である。
【００４４】
図４及び図５を参照すれば、光源部５１０を収容する第２フレーム６６０は、一側面に形成されてランプ５１２を収容する第１グルーブ６７０と、第１グルーブが形成された一側面と反対の位置にある他側面に形成されてランプワイヤ５１６を収容する第２グルーブ６８０とを具備している。
【００４５】
前記第１グルーブ６７０は、一実施形態として第２フレーム６６０の一側面から所定の幅と深さを有し、前記第２フレーム６６０の長さ方向に掘られた四角形の溝に形成される。したがって、その断面は一側面が開放され、基底面６７０ａ、内側面６７０ｂ及び覆い面６７０ｃにより構成される直四角形状になる。前記第１グルーブ６７０の両端部には光源用ランプ５１２を支持するためのランプホルダ５１４が位置し、前記第１グルーブ６７０の深さと幅は前記ランプホルダ５１４の横と高さに対応する。また、前記ランプ５１２は、両端が前記ランプホルダ５１４に結合されて、前記第１グルーブ６７０に収納される。
【００４６】
かつ、前記第１グルーブ６７０の面上には前記ランプから発散される光を導光板５２０側に反射するためのランプリフレクタ５１８が付着される。前記ランプリフレクタ５１８は、第１グルーブ６７０の基底面６７０ａ、内側面６７０ｂ、覆い面６７０ｃのうち、前記ランプホルダ５１４が位置する部分を除外した全表面を覆うように形成される。望ましくは、ＰＥＴ（ポリエチレンテレフタレート）材質により成る反射シートを利用して前記第１グルーブ６７０の内部表面６７０ａ、６７０ｂ、６７０ｃを覆う。
【００４７】
一方、前記第２グルーブ６８０は、一実施形態として、前記第１グルーブ６７０が形成された第２フレーム６６０の面と反対の位置にある面に、所定の幅と深さを有し、前記第２フレーム６６０の長さ方向に掘られた四角形の溝に形成される。前記第２グルーブ６８０の内部には前記ランプ５１２と電気的に連結される連結部材であるワイヤ５１６ａが位置する。
【００４８】
図６は本発明による第２フレームの第２実施形態を示す斜視図であり、図７は図６をＡ1〜Ａ2方向に切断した断面図であり、図８は図６をＢ1〜Ｂ2方向に切断した断面図である。
【００４９】
図６、図７及び図８を参照すれば、光源部を収容する第２フレーム６６０は一側面に形成されてランプ５１２を収容する第１グルーブ６７０と、第１グルーブが形成された一側面と反対の位置にある他側面に位置してランプワイヤ５１６を収容する第２グルーブ６８０とを具備している。
【００５０】
前記第１グルーブ６７０は第１実施形態に比べて、ランプホルダ５１４を支持する面を除外した前記第１グルーブ６７０の基底面６７０ａを除去して第２フレーム６６０の重量を減少させている。従って、前記ランプホルダ５１４が位置する第１グルーブ６７０の第１領域は前記基底面６７０ａ、内側面６７０ｂ、覆い面６７０ｃにより一側辺が開放された直四角形断面として構成され、前記ランプ５１２が位置する第１グルーブ６７０の第２領域は一側辺と底面が除去されて内側面６７０ｂと覆い面６７０ｃのみにより構成される。
【００５１】
この時、前記第１グルーブ６７０の内側面６７０ｂと覆い面６７０ｃ上にはランプリフレクタ５１８が付着されて前記ランプ５１２から発生された光を導光板５２０側に反射することができるが、前記第１グルーブ６７０の基底面６７０ａは開放されておいて光を反射することができない。従って、前記反射板５３０を導光板５２０の底面だけでなく、前記ランプ５１２の底面まで延長して形成することが望ましい。このように延長されて形成された反射板５３０はランプ５１２で前記第２フレーム６６０の下部面に発散される光を前記導光板５２０側に反射することができるので、光の反射効率を同一に維持することができる。
【００５２】
従来の場合、モールドフレームとランプカバーが互いに対応しながらも導光板の入光効率を高めるランプカバーが別途に製作されたので部品数が増加したが、上述したような分割構造を有するモールドフレームの場合分離されたモールドフレームが収納容器の機能だけでなく、ランプから発散された光を反射するリフレクタの機能を有するようにしたので、部品数を減少させてこれによって工程効率を増加させることができる長所がある。
【００５３】
上述したような本発明による分割構造を有する前記モールドフレーム６００の組立工程は次のごときものである。
【００５４】
図９は第１モールドフレームと第２モールドフレームが組立てられた状態を示す斜視図である。
【００５５】
図９を参照すれば、前記第２モールドフレーム６６０の内側面に形成された第１グルーブ６７０に前記ランプ５１２及びランプホルダ５１４が挿入され、外側面に形成された第２グルーブ６８０に前記ランプ５１２のコールド電極と連結されるコールドワイヤ５１６ａが折曲され収納された後、インバータ（図示せず）に連結される。一方、前記ランプ５１２のホット電極と連結されるホットワイヤ５１６ｂは前記ランプホルダ５１４の側面を通ってインバータ（図示せず）に連結される。
【００５６】
前記光源部５１０が収納された第２フレーム６６０の外側面には結合突起６９０が形成されており、この結合突起６９０は第１フレーム６１０の支持部材６５０に一体に形成された結合フック６５５と一対一対応して締結される。この時、前記第１フレーム６１０の第１側壁６２０及び第２側壁６３０の上部面に形成された階段部と第２フレーム６６０の上部面に形成された階段部とが相互に一致させられる。このようにして、本発明の一実施形態による分割構造を有するモールドフレーム６００が完成される。
【００５７】
一方、ランプ５１２を交換しなければならない場合、前記第１フレーム６１０の支持部材６５０において締結された結合フック６５５と結合突起６９０との結合状態を解除することで、前記第２フレーム６６０を分離し、第２フレーム６６０の第１グルーブ６７０に収納されたランプ５１２を交換する。したがって、モールドフレーム６００から光源部が位置する第２フレーム６６０のみを分離させてランプ交換が可能であるので、ランプ５１２を交替するときに他の部品との接触を最小化し、ランプ交換により不良が発生する可能性を減らすという効果を達成することができる。
【００５８】
本明細書では一つの第２フレーム６６０のみを使用したが、前記光源部５１０が前記導光板５２０の両側面に挿入される場合には、前記第１フレーム６１０の側壁と支持端とを互いに対向する一対に形成し、２個の第２フレームを各々の支持端に締結するように構成することも可能である。
【００５９】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００６０】
【発明の効果】
本発明によると、収納モジュールすなわちモールドフレームを複数個に分離して、分離された所定のモールドフレームに形成されたグルーブの内側面にランプリフレクタを付着し、ランプカバーが具備されない光源部を収納した後に、分離されたモールドフレームを結合することで、モールドフレームは液晶表示モジュールを収納する収納容器の機能だけでなく、ランプカバーの機能まで果たす。したがって、液晶表示装置の部品数が減少するので製造コストが減少して組立及び修理工程がさらに簡単になる効果が得られるとともに、光源部が収納されたモールドフレームのみを分離してランプ交換が可能であるので、ランプ交換時の接触等による不良発生を減らす効果を得ることができる。
【図面の簡単な説明】
【図１】従来の液晶表示装置を概略的に示した断面図である。
【図２】本発明の一実施の形態に従う液晶表示装置の分解斜視図である。
【図３】本発明の一実施の形態によるモールドフレームを分解した分解斜視図である。
【図４】本発明による第２フレームの第１実施形態を示す斜視図である。
【図５】図４をＡ1〜Ａ2方向に切断した断面図である。
【図６】本発明による第２フレームの第２実施形態を示す斜視図である。
【図７】図６をＡ1〜Ａ2方向に切断した断面図である。
【図８】図６をＢ1〜Ｂ2方向に切断した断面図である。
【図９】第１フレームと第２フレームとが組立てられた状態を示す斜視図である。
【符号の説明】
１００    液晶表示装置
２００    ケース部
４００    ディスプレーユニット
５００    バックライトアセンブリ
５１０    光源部
５１２    ランプ
５１６    ワイヤ
５２０    導光板
５３０    反射板
６００    モールドフレーム
６１０    第１フレーム
６６０    第２フレーム
６５０    支持端
６５５    結合フック
６７０    第１グルーブ
６８０    第２グルーブ
６７０ａ  基底面
６７０ｂ  内側面
６７０ｃ  覆い面
６９０    結合突起
【図１】
0004843151.tif 000002
【図２】
0004843151.tif 000003
【図３】
0004843151.tif 000004
【図４】
0004843151.tif 000005
【図５】
0004843151.tif 000006
【図６】
0004843151.tif 000007
【図７】
0004843151.tif 000008
【図８】
0004843151.tif 000009
【図９】
0004843151.tif 000010